【手続補正書】
【提出日】令和2年12月3日(2020.12.3)
【手続補正１】
【補正対象書類名】特許請求の範囲
【補正対象項目名】全文
【補正方法】変更
【補正の内容】
【特許請求の範囲】
【請求項１】
遊技を実行可能であり、遊技者にとって有利な有利状態に制御可能な遊技機であって、
遊技者による動作を検出可能な動作検出手段と、
前記動作検出手段により検出有効期間において遊技者が複数回の動作を行なう連続動作が実行されたことに応じて特定演出を実行可能な特定演出実行手段と、
遊技に用いた遊技媒体を検出可能な検出手段と、
前記検出手段からの検出信号が送信される信号線と、
前記検出信号を受信する受信手段と、
前記検出信号の受信状態の異常を検知可能な異常検知手段と、
所定条件が成立することに基づいて遊技媒体を払い出す払出手段と、
前記有利状態とは異なる所定状態において前記検出手段によって検出された遊技媒体数と、前記所定状態において前記払出手段によって払い出された遊技媒体数とに基づいて算出される所定情報を表示可能な情報表示手段と、を備え、
前記異常検知手段によって受信状態の異常が検知された場合に、前記情報表示手段による表示を制限し、
前記特定演出実行手段は、
遊技者による前記連続動作とは異なる所定動作に基づいて、前記連続動作が実行されたとみなして前記特定演出を実行可能であり、
前記検出有効期間において、所定期間が経過するまでは、前記所定動作に基づいて前記連続動作が実行されたとみなして前記特定演出を実行可能であるとともに、前記連続動作が実行された場合は当該連続動作に応じて前記特定演出を実行可能であり、
前記検出有効期間において、前記所定期間が経過した後は、前記所定動作が開始されても前記連続動作が実行されたとみなさない一方、前記連続動作が実行された場合は当該連続動作に応じて前記特定演出を実行可能であり、
前記検出有効期間中に開始された前記所定動作であって、前記所定期間が経過する前に開始され、かつ前記所定期間が経過した後も継続して行われている前記所定動作については、当該所定動作の検出を有効とする、遊技機。
【手続補正２】
【補正対象書類名】明細書
【補正対象項目名】０００６
【補正方法】変更
【補正の内容】
【０００６】
（Ａ）  遊技を実行可能であり、遊技者にとって有利な有利状態（例えば、大当り遊技状態、確変状態、時短状態等）に制御可能な遊技機（例えば、パチンコ遊技機、スロットマシン等）であって、
遊技者による動作（プッシュボタン１２０の操作等）を検出可能な動作検出手段（プッシュセンサ１２４等）と、
前記動作検出手段により検出有効期間において遊技者が複数回の動作を行なう連続動作（プッシュボタン１２０の連打操作）が実行されたことに応じて特定演出（図７のような連打操作演出）を実行可能な特定演出実行手段（演出制御用マイクロコンピュータ１００、図１０の連打演出処理等）と、
遊技に用いた遊技媒体（例えば、遊技領域９０１０等）を検出可能な検出手段（例えば、図１１３、図１１７等に示したアウト球検出器９０７１０等）と、
前記検出手段からの検出信号が送信される信号線（例えば、図１１３に示した信号線９０７３４等）と、
前記検出信号を受信する受信手段（例えば、主基板９０１１、主基板９０１１側に設けられた所定の接続部等）と、
前記検出信号の受信状態の異常を検知可能な異常検知手段（例えば、図１１４のエラー報知処理を実行するＣＰＵ９０１０３等）と、
所定条件が成立（例えば、第１始動入賞口となる普通入賞球装置９０６Ａ、第２始動入賞口となる普通可変入賞球装置９０６Ｂ、一般入賞領域となる一般入賞口９０５０Ａ〜９０５０Ｄ、大入賞口となる特別可変入賞球装置９０７への入賞等）することに基づいて遊技媒体を払い出す払出手段（例えば、球払出装置，払出機構等）と、
前記有利状態とは異なる所定状態（例えば、通常状態等。具体的には、確変フラグ、時短フラグ、ラウンド遊技中フラグの何れもオフの状態等）において前記検出手段によって検出された遊技媒体数（例えば、打込玉数等）と、前記所定状態において前記払出手段によって払い出された遊技媒体数（例えば、各入賞口への入賞による賞球数等）とに基づいて算出される所定情報（例えば、図９３の性能情報等）を表示可能（例えば、性能表示を可能等）な情報表示手段（例えば、図１１７の表示モニタ９０１１３０等）と、を備え、
前記異常検知手段によって受信状態の異常が検知された場合に、前記情報表示手段による表示を制限し（例えば、図１１５や図１１６に示すようにエラーを報知し、性能表示を制限する等）、
前記特定演出実行手段は、
遊技者による前記連続動作とは異なる所定動作（プッシュボタン１２０の長押し操作）に基づいて、前記連続動作が検出されたとしてみなして前記特定演出を実行可能であり（図１０のＳＡ１０〜ＳＡ１２、ＳＡ１８，ＳＡ１９）、
前記検出有効期間において、所定期間（図８のオート連打開始可能期間）が経過するまでは、前記所定動作に基づいて前記連続動作が実行されたとみなして前記特定演出を実行可能であるとともに（図１０のＳＡ６Ｙ，ＳＡ７〜ＳＡ１２）、前記連続動作が実行された場合は当該連続動作に応じて前記特定演出を実行可能であり、
前記検出有効期間において、前記所定期間が経過した後は（図８のオート連打開始不可能期間）、前記所定動作が開始されても前記連続動作が実行されたとみなさない一方（図１０のＳＡ６Ｎ）、前記連続動作が実行された場合は当該連続動作に応じて前記特定演出を実行可能であり、
前記検出有効期間中に開始された前記所定動作であって、前記所定期間が経過する前に開始され、かつ前記所定期間が経過した後も継続して行われている前記所定動作については、当該所定動作の検出を有効とする。
このような構成によれば、検出有効期間において所定期間が経過するか否かに基づいて、連続動作が実行されたとみなすか、みなさないかとすることにより、演出の面白みを向上させることができ、遊技者の興趣を向上させることができるとともに、情報表示手段が、正確ではない表示を行うことを防止することができる。
（１）  遊技を実行可能であり、遊技者にとって有利な有利状態（例えば、大当り遊技状態、確変状態、時短状態等）に制御可能な遊技機（例えば、パチンコ遊技機、スロットマシン等）であって、
遊技者による動作（プッシュボタン１２０の操作等）を検出可能な動作検出手段（プッシュセンサ１２４等）と、
前記動作検出手段により検出有効期間において遊技者が複数回の動作を行なう連続動作（プッシュボタン１２０の連打操作）が実行されたことに応じて特定演出（図７のような連打操作演出）を実行可能な特定演出実行手段（演出制御用マイクロコンピュータ１００、図１０の連打演出処理等）と、
遊技に用いた遊技媒体（例えば、遊技領域９０１０等）を検出可能な検出手段（例えば、図１１３、図１１７等に示したアウト球検出器９０７１０等）と、
前記検出手段からの検出信号が送信される信号線（例えば、図１１３に示した信号線９０７３４等）と、
前記検出信号を受信する受信手段（例えば、主基板９０１１、主基板９０１１側に設けられた所定の接続部等）と、
前記検出信号の受信状態の異常を検知可能な異常検知手段（例えば、図１１４のエラー報知処理を実行するＣＰＵ９０１０３等）と、
所定条件が成立（例えば、第１始動入賞口となる普通入賞球装置９０６Ａ、第２始動入賞口となる普通可変入賞球装置９０６Ｂ、一般入賞領域となる一般入賞口９０５０Ａ〜９０５０Ｄ、大入賞口となる特別可変入賞球装置９０７への入賞等）することに基づいて遊技媒体を払い出す払出手段（例えば、球払出装置，払出機構等）と、
前記有利状態とは異なる所定状態（例えば、通常状態等。具体的には、確変フラグ、時短フラグ、ラウンド遊技中フラグの何れもオフの状態等）において前記検出手段によって検出された遊技媒体数（例えば、打込玉数等）と、前記所定状態において前記払出手段によって払い出された遊技媒体数（例えば、各入賞口への入賞による賞球数等）とに基づいて算出される所定情報（例えば、図９３の性能情報等）を表示可能（例えば、性能表示を可能等）な情報表示手段（例えば、図１１７の表示モニタ９０１１３０等）とを備え、
前記異常検知手段によって受信状態の異常が検知された場合に、前記情報表示手段による表示を制限し（例えば、図１１５や図１１６に示すようにエラーを報知し、性能表示を制限する等）、
前記特定演出実行手段は、
遊技者による前記連続動作とは異なる所定動作（プッシュボタン１２０の長押し操作）に基づいて、前記連続動作が検出されたとしてみなして前記特定演出を実行可能であり（図１０のＳＡ１０〜ＳＡ１２、ＳＡ１８，ＳＡ１９）、
前記検出有効期間において、所定期間（図８のオート連打開始可能期間）が経過するまでは前記所定動作に基づいて前記連続動作が実行されたとみなし（図１０のＳＡ６Ｙ，ＳＡ７〜ＳＡ１２）、当該所定期間が経過した後（図８のオート連打開始不可能期間）に前記所定動作が開始されても前記連続動作が実行されたとみなさない（図１０のＳＡ６Ｎ）。